【手続補正書】
【提出日】平成27年9月8日(2015.9.8)
【手続補正１】
【補正対象書類名】特許請求の範囲
【補正対象項目名】全文
【補正方法】変更
【補正の内容】
【特許請求の範囲】
【請求項１】
医用画像診断装置で発生した複数の医用画像データが１ファイルにまとめられた束画像データを受信する画像受信部と、
受信した束画像データの特定情報と保管先とをデータベースに登録する束画像データ登録部と、
画像特定情報が含まれる医用画像データ取得要求を受信するリンクデータ受信部と、
前記画像特定情報に含まれる束画像データの特定情報に基づいて前記データベースから当該束画像データの保管先を取得し、当該保管先の束画像データを特定し、当該束画像データから前記画像特定情報で特定される医用画像データを抜き出し、当該医用画像データを抜き出した束画像データを特定する情報と当該医用画像データの付帯情報とを加えて医用画像データ取得要求元へ送信する画像抽出部と、を備える画像管理サーバ。
【請求項２】
前記画像特定情報は、当該医用画像データが前記束画像データ内での存在位置を表す情報を含み、当該存在位置を表す情報に基づいて前記医用画像データ取得要求元へ送信する医用画像データを特定する請求項１記載の画像管理サーバ。
【請求項３】
前記画像特定情報は、束画像データに含まれる各医用画像データを表示する表示順序を表す情報を含み、当該表示順序を表す情報に基づいて医用画像データ取得要求元へ送信する医用画像データを特定する請求項１記載の画像管理サーバ。
【請求項４】
医用画像診断装置で発生した複数の医用画像データが１ファイルにまとめられた束画像データを受信する画像受信部と、
前記束画像データを医用画像データに展開する画像展開部と、
前記医用画像データを表示する画像表示部と、
前記表示された医用画像データの読影レポートに関する入力の操作が行われる操作部と、
前記操作に基づいて読影レポートを作成するレポート作成部と、
前記読影レポートを表示するレポート表示部と、
前記表示した医用画像データから前記読影レポートに埋め込む医用画像データを選択指定する医用画像選択部と、
前記選択指定された医用画像データの展開元である束画像データを特定する情報を取得する束画像データ特定情報取得部と、
前記束画像データを特定する情報、前記読影レポートに埋め込む医用画像データを当該束画像データ内で特定する情報を含む画像特定情報を生成する画像特定情報生成部と、
前記画像特定情報を前記読影レポート内に埋め込む画像特定情報埋込部と、を備えるレポート作成端末。
【請求項５】
前記画像展開部は、前記束画像データを分析して当該束画像データのファイル構造管理テーブルを作成し、
前記画像表示部に表示させる各医用画像データは、前記ファイル構造管理テーブルに基づいて表示される請求項４記載のレポート作成端末。
【請求項６】
前記ファイル構造管理テーブルは、前記束画像データから展開された各医用画像データごとに画像順序情報と展開元の束画像データ内での存在位置情報とを管理し、
前記画像特定情報に含まれ、前記読影レポートに埋め込む医用画像データを前記束画像データ内で特定する情報は、前記画像順序情報または前記存在位置情報である請求項５記載のレポート作成端末。
【請求項７】
コンピュータを含んで構成されるレポート作成端末に、
医用画像診断装置で発生した複数の医用画像データが１ファイルにまとめられた束画像データを受信する画像受信機能と、
前記束画像データを医用画像データに展開する画像展開部と、
前記医用画像データを表示する画像表示機能と、
前記表示された医用画像データの読影レポートに関する入力の操作が行われる操作部と、
前記操作に基づいて読影レポートを作成するレポート作成機能と、
前記読影レポートを表示するレポート表示機能と、
前記表示した医用画像データから前記読影レポートに埋め込む医用画像データを選択指定する医用画像選択機能と、
前記選択指定された医用画像データの展開元である束画像データを特定する情報を取得する束画像データ特定情報取得機能と、
前記束画像データを特定する情報、前記読影レポートに埋め込む医用画像データを当該束画像データ内で特定する情報を含む画像特定情報を生成する画像特定情報生成機能と、
前記画像特定情報を前記読影レポート内に埋め込む画像特定情報埋込機能と、
を実行させるレポート作成プログラム。
【手続補正２】
【補正対象書類名】明細書
【補正対象項目名】発明の名称
【補正方法】変更
【補正の内容】
【発明の名称】画像管理サーバ、レポート作成端末及びレポート作成プログラム
【手続補正３】
【補正対象書類名】明細書
【補正対象項目名】０００８
【補正方法】変更
【補正の内容】
【０００８】
上記課題を解決するために、本発明の第１の態様は、医用画像診断装置で発生した複数の医用画像データが１ファイルにまとめられた束画像データを受信する画像受信部と、受信した束画像データの特定情報と保管先とをデータベースに登録する束画像データ登録部と、画像特定情報が含まれる医用画像データ取得要求を受信するリンクデータ受信部と、前記画像特定情報に含まれる束画像データの特定情報に基づいて前記データベースから当該束画像データの保管先を取得し、当該保管先の束画像データを特定し、当該束画像データから前記画像特定情報で特定される医用画像データを抜き出し、当該医用画像データを抜き出した束画像データを特定する情報と当該医用画像データの付帯情報とを加えて医用画像データ取得要求元へ送信する画像抽出部と、を備える。
【手続補正４】
【補正対象書類名】明細書
【補正対象項目名】０００９
【補正方法】変更
【補正の内容】
【０００９】
また、本発明の第２の態様は、医用画像診断装置で発生した複数の医用画像データが１ファイルにまとめられた束画像データを受信する画像受信部と、前記束画像データを医用画像データに展開する画像展開部と、前記医用画像データを表示する画像表示部と、前記表示された医用画像データの読影レポートに関する入力の操作が行われる操作部と、前記操作に基づいて読影レポートを作成するレポート作成部と、前記読影レポートを表示するレポート表示部と、前記表示した医用画像データから前記読影レポートに埋め込む医用画像データを選択指定する医用画像選択部と、前記選択指定された医用画像データの展開元である束画像データを特定する情報を取得する束画像データ特定情報取得部と、前記束画像データを特定する情報、前記読影レポートに埋め込む医用画像データを当該束画像データ内で特定する情報を含む画像特定情報を生成する画像特定情報生成部と、前記画像特定情報を前記読影レポート内に埋め込む画像特定情報埋込部と、を備える。
【手続補正５】
【補正対象書類名】明細書
【補正対象項目名】００１０
【補正方法】変更
【補正の内容】
【００１０】
また、本発明の第３の態様は、コンピュータを含んで構成されるレポート作成端末に、医用画像診断装置で発生した複数の医用画像データが１ファイルにまとめられた束画像データを受信する画像受信機能と、前記束画像データを医用画像データに展開する画像展開部と、前記医用画像データを表示する画像表示機能と、前記表示された医用画像データの読影レポートに関する入力の操作が行われる操作部と、前記操作に基づいて読影レポートを作成するレポート作成機能と、前記読影レポートを表示するレポート表示機能と、前記表示した医用画像データから前記読影レポートに埋め込む医用画像データを選択指定する医用画像選択機能と、前記選択指定された医用画像データの展開元である束画像データを特定する情報を取得する束画像データ特定情報取得機能と、前記束画像データを特定する情報、前記読影レポートに埋め込む医用画像データを当該束画像データ内で特定する情報を含む画像特定情報を生成する画像特定情報生成機能と、前記画像特定情報を前記読影レポート内に埋め込む画像特定情報埋込機能と、を実行させる。